(57)【要約】【課題】設備の点検作業にかかる作業量の軽減化を図ること。【解決手段】点検支援装置１００は、読取装置１０１を用いて、点検対象の設備であるボイラー１号機１１０に付されたコード情報１１１を読み取る。次に、点検支援装置１００は、複数の設備の各々の設備に付されたコード情報と、各々の設備における点検内容と、を対応付けて記憶する記憶部１０２の記憶内容を参照することにより、点検対象の設備であるボイラー１号機１１０に付されたコード情報１１１に対応する点検内容を特定する。そして、点検支援装置１００は、特定した点検内容の点検結果を入力する入力欄を、表示装置１０３に表示する。【選択図】図１
2014109903.tif 000002
【特許請求の範囲】
【請求項１】
設備に付された前記設備の識別子を示すコード情報を読み取る読取部と、
複数の設備の各々の設備の識別子と、前記各々の設備における点検内容と、を対応付けて記憶する記憶部の記憶内容を参照して、前記読取部によって読み取られた前記コード情報が示す前記設備の識別子に対応する点検内容を特定する特定部と、
前記特定部によって特定された前記点検内容に対応付けて、当該点検内容の点検結果を入力する入力欄を表示画面に表示させる制御部と、
を有することを特徴とする点検支援装置。
【請求項２】
前記記憶部は、
さらに、前記各々の設備の識別子と対応付けて前記各々の設備の設備情報を記憶しており、
前記特定部は、
前記記憶部の記憶内容を参照して、前記読取部によって読み取られた前記コード情報が示す設備の識別子に対応する点検内容および設備情報を特定し、
前記制御部は、
前記特定部によって特定された前記点検内容に対応付けて、当該点検内容の点検結果を入力する入力欄を前記表示画面に表示させるとともに、前記特定部によって特定された前記設備情報を前記表示画面に表示させる、
ことを特徴とする請求項１に記載の点検支援装置。
【請求項３】
前記制御部の制御に従って前記表示画面に表示された前記点検内容の点検結果を入力する入力欄に対する点検結果の入力を受け付ける受付部と、
前記設備の識別子と、前記設備における点検内容と、前記受付部によって入力が受け付けられた当該点検内容の点検結果と、を対応付けて出力する出力部と、
を有することを特徴とする請求項１または２に記載の点検支援装置。
【請求項４】
前記記憶部の記憶内容を更新する更新部を有し、
前記制御部は、
前記設備における点検内容を入力する入力欄を前記表示画面に表示させ、
前記受付部は、
前記制御部の制御に従って前記表示画面に表示された前記設備における点検内容を入力する入力欄に対する点検内容の入力を受け付け、
前記更新部は、
前記受付部によって入力が受け付けられた前記点検内容に基づいて、前記記憶部の記憶内容を更新する、
ことを特徴とする請求項１〜３のいずれか一つに記載の点検支援装置。
【請求項５】
前記特定部は、
前記更新部によって更新された前記記憶部の記憶内容を参照して、前記読取部によって読み取られた前記コード情報が示す前記設備の識別子に対応する点検内容を特定し、
前記制御部は、
前記特定部によって特定された前記点検内容に対応付けて、当該点検内容の点検結果を入力する入力欄を前記表示画面に表示させる、
ことを特徴とする請求項４に記載の点検支援装置。
【請求項６】
設備に付された点検内容の識別子を示すコード情報を読み取る読取部と、
複数の点検内容の各々の点検内容の識別子と、前記各々の点検内容と、を対応付けて記憶する記憶部の記憶内容を参照して、前記読取部によって読み取られた前記コード情報が示す前記点検内容の識別子に対応する点検内容を特定する特定部と、
前記特定部によって特定された前記点検内容に対応付けて、当該点検内容の点検結果を入力する入力欄を表示画面に表示させる制御部と、
を有することを特徴とする点検支援装置。
【請求項７】
コンピュータが、
設備に付された前記設備の識別子を示すコード情報を読み取り、
複数の設備の各々の設備の識別子と、前記各々の設備における点検内容と、を対応付けて記憶する記憶部の記憶内容を参照して、読み取った前記コード情報が示す前記設備の識別子に対応する点検内容を特定し、
特定した前記点検内容に対応付けて、当該点検内容の点検結果を入力する入力欄を表示画面に表示させる、
処理を実行することを特徴とする点検支援方法。
【請求項８】
コンピュータが、
設備に付された点検内容の識別子を示すコード情報を読み取り、
複数の点検内容の各々の点検内容の識別子と、前記各々の点検内容と、を対応付けて記憶する記憶部の記憶内容を参照して、読み取った前記コード情報が示す前記点検内容の識別子に対応する点検内容を特定し、
特定した前記点検内容に対応付けて、当該点検内容の点検結果を入力する入力欄を表示画面に表示させる、
処理を実行することを特徴とする点検支援方法。
【請求項９】
コンピュータに、
設備に付された前記設備の識別子を示すコード情報を読み取り、
複数の設備の各々の設備の識別子と、前記各々の設備における点検内容と、を対応付けて記憶する記憶部の記憶内容を参照して、読み取った前記コード情報が示す前記設備の識別子に対応する点検内容を特定し、
特定した前記点検内容に対応付けて、当該点検内容の点検結果を入力する入力欄を表示画面に表示させる、
処理を実行させることを特徴とする点検支援プログラム。
【請求項１０】
コンピュータに、
設備に付された点検内容の識別子を示すコード情報を読み取り、
複数の点検内容の各々の点検内容の識別子と、前記各々の点検内容と、を対応付けて記憶する記憶部の記憶内容を参照して、読み取った前記コード情報が示す前記点検内容の識別子に対応する点検内容を特定し、
特定した前記点検内容に対応付けて、当該点検内容の点検結果を入力する入力欄を表示画面に表示させる、
処理を実行させることを特徴とする点検支援プログラム。
【発明の詳細な説明】
【技術分野】
【０００１】
本発明は、点検支援装置、点検支援方法、および点検支援プログラムに関する。
【背景技術】
【０００２】
従来、ビルの管理者は、ビルに設置された設備の点検作業を行う。従来技術としては、例えば、点検対象物を点検する際に各点検対象物に付与した識別データを認識できる携帯端末と、携帯端末で収集した各種データの分析および蓄積管理を行える上位端末と、端末間でのデータ移行を行うための通信網と、を有するシステムがある（例えば、下記特許文献１参照）。
【先行技術文献】
【特許文献】
【０００３】
【特許文献１】特開２００２−２９７６６９号公報
【発明の概要】
【発明が解決しようとする課題】
【０００４】
しかしながら、上述した従来技術では、ビルの管理者は、設備を観察、操作または分解などして点検する場合には、設備ごとの点検内容に応じた点検結果を書面に書き込んだり、手作業で点検結果の入力先を作成してから点検結果を入力したりすることになる。そのため、ビルの管理者による点検作業の作業量が増大してしまう。
【０００５】
１つの側面では、本発明は、設備の点検作業にかかる作業量の軽減化を図ることを目的とする。
【課題を解決するための手段】
【０００６】
本発明の一側面によれば、設備に付された設備の識別子を示すコード情報を読み取り、複数の設備の各々の設備の識別子と、各々の設備における点検内容と、を対応付けて記憶する記憶部の記憶内容を参照して、読み取ったコード情報が示す設備の識別子に対応する点検内容を特定し、特定した点検内容に対応付けて、当該点検内容の点検結果を入力する入力欄を表示画面に表示させる点検支援装置、点検支援方法、および点検支援プログラムが提案される。
【０００７】
また、本発明の一側面によれば、設備に付された点検内容の識別子を示すコード情報を読み取り、複数の点検内容の各々の点検内容の識別子と、各々の点検内容と、を対応付けて記憶する記憶部の記憶内容を参照して、読み取ったコード情報が示す点検内容の識別子に対応する点検内容を特定し、特定した点検内容に対応付けて、当該点検内容の点検結果を入力する入力欄を表示画面に表示させる点検支援装置、点検支援方法、および点検支援プログラムが提案される。
【発明の効果】
【０００８】
本発明の一態様によれば、設備の点検作業にかかる作業量の軽減化を図ることができるという効果を奏する。
【図面の簡単な説明】
【０００９】
【図１】図１は、点検支援装置１００による点検支援の一例を示す説明図である。
【図２】図２は、点検支援装置１００のハードウェア構成例を示すブロック図である。
【図３】図３は、設備情報テーブル３００の記憶内容の一例を示す説明図である。
【図４】図４は、設備点検項目テーブル４００の記憶内容の一例を示す説明図である。
【図５】図５は、点検項目テーブル５００の記憶内容の一例を示す説明図である。
【図６】図６は、点検種別テーブル６００の記憶内容の一例を示す説明図である。
【図７】図７は、実施例１における点検支援装置１００の機能的構成を示すブロック図である。
【図８】図８は、実施例１における点検支援装置１００による点検支援の具体例を示す説明図（その１）である。
【図９】図９は、実施例１における点検支援装置１００による点検支援の具体例を示す説明図（その２）である。
【図１０】図１０は、実施例１における点検支援装置１００の点検支援処理手順の一例を示すフローチャートである。
【図１１】図１１は、点検支援装置１００の記憶部更新処理手順の一例を示すフローチャートである。
【図１２】図１２は、点検情報テーブル１２００の記憶内容の一例を示す説明図である。
【図１３】図１３は、実施例２における点検支援装置１００による点検支援の具体例を示す説明図（その１）である。
【図１４】図１４は、実施例２における点検支援装置１００による点検支援の具体例を示す説明図（その２）である。
【図１５】図１５は、実施例２における点検支援装置１００の点検支援処理手順の一例を示すフローチャートである。
【発明を実施するための形態】
【００１０】
以下に添付図面を参照して、この発明にかかる点検支援装置、点検支援方法、および点検支援プログラムの実施の形態を詳細に説明する。
【００１１】
＜点検支援装置１００による点検支援＞
図１は、点検支援装置１００による点検支援の一例を示す説明図である。図１の例では、点検支援装置１００は、読取装置１０１と、記憶部１０２と、表示装置１０３と、を有する。読取装置１０１は、画像を光学的に読み取り、点検支援装置１００内に画像データを取り込む。読取装置１０１は、例えば、２次元コードリーダである。
【００１２】
記憶部１０２は、点検対象になる複数の設備の各々の設備に付されたコード情報と、各々の設備における点検内容と、を対応付けて記憶する。記憶部１０２は、例えば、点検対象になる設備に付されたコード情報が示す設備の識別子と、設備における点検内容と、を対応付けて記憶する。また、記憶部１０２は、例えば、点検対象になる設備に付されたコード情報が示す点検内容の識別子と、点検内容と、を対応付けて記憶してもよい。
【００１３】
点検内容としては、例えば、「温度を計測した結果を数値入力する」という点検内容がある。点検内容の他の例としては、「設備の外観確認の結果を｛異常あり／異常なし｝の入力候補の中から選択入力する」という点検内容がある。また、点検内容の他の例としては、「点検状況を｛点検済／未点検｝の入力候補の中から選択入力する」という点検内容がある。また、点検内容の他の例としては、例えば、「設備に備えられた電力量計を検針する」という点検内容がある。
【００１４】
記憶部１０２は、さらに、各々の設備に付されたコード情報と、各々の設備の名称と、を対応付けて記憶してもよい。記憶部１０２は、例えば、点検対象になる設備に付されたコード情報が示す設備の識別子と、設備名称と、を対応付けて記憶する。設備名称としては、例えば、「ボイラー１号機」がある。表示装置１０３は、画像を表示する。また、ボイラー１号機１１０には、コード情報１１１が付される。
【００１５】
図１において、（１）点検支援装置１００は、読取装置１０１を用いて、ボイラー１号機１１０に付されたコード情報１１１を読み取る。（２）点検支援装置１００は、記憶部１０２の記憶内容を参照して、読み取ったコード情報１１１に対応する「温度を計測した結果を数値入力する」という点検内容を特定する。また、点検支援装置１００は、記憶部１０２の記憶内容を参照して、読み取ったコード情報１１１に対応する設備名称「ボイラー１号機」を特定してもよい。
【００１６】
（３）点検支援装置１００は、特定した点検内容を示す「温度」を表示装置１０３の表示領域１０４に表示すると共に、温度を計測した結果を数値入力する入力欄を表示装置１０３の表示領域１０５に表示する。また、点検支援装置１００は、特定した設備名称「ボイラー１号機」を表示装置１０３の表示領域１０６に表示してもよい。
【００１７】
これにより、点検支援装置１００の利用者は、表示装置１０３に表示された点検内容に基づいて設備において点検すべき点検内容を把握することができ、設備における点検内容を示したマニュアルを参照しなくてもよい。また、点検支援装置１００の利用者は、点検項目ごとの点検結果を、点検結果ごとに表示装置１０３に表示された入力欄に入力することができ、点検項目ごとの点検結果を書面に書き込まなくてもよいし、手作業で点検結果の入力欄を作成しなくてもよい。そのため、点検支援装置１００の利用者は、設備における点検作業の作業量を低減することができる。
【００１８】
また、点検支援装置１００の利用者は、表示装置１０３に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【００１９】
＜点検支援装置１００のハードウェア構成例＞
図２は、点検支援装置１００のハードウェア構成例を示すブロック図である。図２において、点検支援装置１００は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、フラッシュＲＯＭ２０４と、Ｉ／Ｆ（Ｉｎｔｅｒｆａｃｅ）２０５と、ディスプレイ２０６と、キーボード２０７と、リーダ２０８と、を備えている。また、各構成部はバス２１０によって、各々接続されている。
【００２０】
ここで、ＣＰＵ２０１は、点検支援装置１００の全体の制御を司る。ＲＯＭ２０２は、アプリケーションプログラムなどのプログラムを記憶している。ＲＡＭ２０３は、ＣＰＵ２０１のワークエリアとして使用される。フラッシュＲＯＭ２０４は、ブートプログラムなどのプログラムを記憶している。図１に示した記憶部１０２は、例えば、ＲＯＭ２０２、ＲＡＭ２０３、フラッシュＲＯＭ２０４などの記憶領域に対応する。
【００２１】
Ｉ／Ｆ２０５は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク２２０に接続され、このネットワーク２２０を介して他の装置に接続される。そして、Ｉ／Ｆ２０５は、ネットワーク２２０と内部のインターフェースを司り、外部装置からのデータの入出力を制御する。Ｉ／Ｆ２０５には、例えば、モデムやＬＡＮアダプタなどを採用することができる。
【００２２】
ディスプレイ２０６は、カーソル、アイコンあるいはツールボックスをはじめ、文書、画像、機能情報などのデータを表示する。このディスプレイ２０６は、たとえば、液晶ディスプレイ、プラズマディスプレイなどを採用することができる。図１に示した表示装置１０３は、例えば、ディスプレイ２０６に対応する。キーボード２０７は、文字、数字、各種指示などの入力のためのキーを備え、データの入力をおこなう。また、タッチパネル式の入力パッドやテンキーなどであってもよい。
【００２３】
リーダ２０８は、２次元コードのイメージを光学的に読み取り、点検支援装置１００内に２次元コードのイメージを取り込む。リーダ２０８は、１次元コードを光学的に読み取り、点検支援装置１００内にデータを取り込んでもよい。リーダ２０８は、ＯＣＲ（Ｏｐｔｉｃａｌ  Ｃｈａｒａｃｔｅｒ  Ｒｅａｄｅｒ）機能を持っていてもよい。図１に示した読取装置１０１は、例えば、リーダ２０８に対応する。点検支援装置１００において、ディスプレイ２０６、およびキーボード２０７の少なくともいずれか１つは、なくてもよい。
【００２４】
＜実施例１＞
実施例１は、点検支援装置１００が、設備の識別子を示すコード情報１１１が設備に付された場合に対して、点検支援装置１００の利用者による設備の点検作業を支援する実施例である。これに対し、後述する実施例２は、点検支援装置１００が、設備の識別子と設備における点検内容の識別子とを示すコード情報１１１が設備に付された場合に対して、点検支援装置１００の利用者による設備の点検作業を支援する実施例である。
【００２５】
まず、上述した実施例１について説明する。実施例１では、設備の識別子を示すコード情報１１１が設備に付される。実施例１において、点検支援装置１００は、図３に示す設備情報テーブル３００と、図４に示す設備点検項目テーブル４００と、図５に示す点検項目テーブル５００と、図６に示す点検種別テーブル６００と、を有する。
【００２６】
（設備情報テーブル３００の記憶内容）
まず、図３を用いて、設備情報テーブル３００の記憶内容の一例について説明する。設備情報テーブル３００は、例えば、上述したＲＯＭ２０２、ＲＡＭ２０３、フラッシュＲＯＭ２０４などにより実現される。
【００２７】
図３は、設備情報テーブル３００の記憶内容の一例を示す説明図である。図３に示すように、設備情報テーブル３００は、設備ＩＤ項目に対応付けて、設備名称項目を有し、設備ＩＤごとに設備名称項目に情報が設定されることによりレコードを記憶する。
【００２８】
設備ＩＤ項目には、設備の識別子が記憶される。設備名称項目には、設備ＩＤ項目の設備ＩＤによって識別される設備の設備名称が記憶される。例えば、レコード３０１には、設備ＩＤ「Ｓ１」と、設備名称「ボイラー１号機」と、が対応付けて記憶されている。
【００２９】
設備情報テーブル３００は、設備名称以外の設備情報の項目を有してもよい。設備情報テーブル３００は、例えば、設備の耐用年数が設定される項目を有してもよいし、設備の使用年数が設定される項目を有してもよいし、設備の使用条件が設定される項目を有してもよい。使用条件としては、例えば、温度の範囲などがある。
【００３０】
（設備点検項目テーブル４００の記憶内容）
次に、図４を用いて、設備点検項目テーブル４００の記憶内容の一例について説明する。設備点検項目テーブル４００は、例えば、上述したＲＯＭ２０２、ＲＡＭ２０３、フラッシュＲＯＭ２０４などにより実現される。
【００３１】
図４は、設備点検項目テーブル４００の記憶内容の一例を示す説明図である。図４に示すように、設備点検項目テーブル４００は、設備ＩＤ項目に対応付けて、点検項目ＩＤ項目を有し、設備ＩＤごとに点検項目ＩＤ項目に情報が設定されることによりレコードを記憶する。
【００３２】
設備ＩＤ項目には、設備の識別子が記憶される。点検項目ＩＤ項目には、設備ＩＤ項目の設備ＩＤによって識別される設備における点検項目の識別子が記憶される。例えば、レコード４０１には、設備ＩＤ「Ｓ１」と、点検項目ＩＤ「Ｔ１」と、が対応付けて記憶されている。
【００３３】
（点検項目テーブル５００の記憶内容）
次に、図５を用いて、点検項目テーブル５００の記憶内容の一例について説明する。点検項目テーブル５００は、例えば、上述したＲＯＭ２０２、ＲＡＭ２０３、フラッシュＲＯＭ２０４などにより実現される。
【００３４】
図５は、点検項目テーブル５００の記憶内容の一例を示す説明図である。図５に示すように、点検項目テーブル５００は、点検項目ＩＤ項目に対応付けて、点検名称項目と点検種別ＩＤ項目とを有し、点検項目ＩＤごとに各項目に情報が設定されることによりレコードを記憶する。
【００３５】
点検項目ＩＤ項目には、点検項目の識別子が記憶される。点検名称項目には、点検項目ＩＤ項目の点検項目ＩＤによって識別される点検項目の名称が記憶される。点検種別ＩＤ項目には、点検項目ＩＤ項目の点検項目ＩＤによって識別される点検項目の種別の識別子が記憶される。例えば、レコード５０１には、点検項目ＩＤ「Ｔ１」と、点検名称「温度」と、点検種別ＩＤ「１」と、が対応付けて記憶されている。
【００３６】
（点検種別テーブル６００の記憶内容）
次に、図６を用いて、点検種別テーブル６００の記憶内容の一例について説明する。点検種別テーブル６００は、例えば、上述したＲＯＭ２０２、ＲＡＭ２０３、フラッシュＲＯＭ２０４などにより実現される。
【００３７】
図６は、点検種別テーブル６００の記憶内容の一例を示す説明図である。図６に示すように、点検種別テーブル６００は、点検種別ＩＤ項目に対応付けて、点検タイプ項目と表示データ項目とを有し、点検種別ＩＤごとに各項目に情報が設定されることによりレコードを記憶する。
【００３８】
点検種別ＩＤ項目には、点検項目の種別の識別子が記憶される。点検タイプ項目には、点検種別ＩＤ項目の点検種別ＩＤによって識別される点検種別のタイプが記憶される。表示データ項目には、点検種別ＩＤ項目の点検種別ＩＤによって識別される点検種別に対する入力候補として表示するデータが記憶される。例えば、レコード６０１には、点検種別ＩＤ「１」と、点検タイプ「数値入力」と、表示データ「−（なし）」と、が対応付けて記憶されている。
【００３９】
（実施例１における点検支援装置１００の機能的構成例）
次に、図７を用いて、実施例１における点検支援装置１００の機能的構成例について説明する。図７は、実施例１における点検支援装置１００の機能的構成を示すブロック図である。点検支援装置１００は、読取部７０１と、特定部７０２と、制御部７０３と、受付部７０４と、出力部７０５と、更新部７０６と、を含む。
【００４０】
ここで、実施例１における点検支援装置１００は、例えば、設備における点検内容についての点検結果を入力する入力欄をディスプレイ２０６に表示する動作を実行する。以下の説明では、設備における点検内容についての点検結果を入力する入力欄をディスプレイ２０６に表示する動作を、動作１と表記する場合がある。
【００４１】
さらに、実施例１における点検支援装置１００は、当該入力欄に入力された点検結果を出力する動作を実行してもよい。以下の説明では、当該入力欄に入力された点検結果を出力する動作を、動作２と表記する場合がある。また、さらに、実施例１における点検支援装置１００は、記憶部１０２の記憶内容を更新する動作を実行してもよい。以下の説明では、記憶部１０２の記憶内容を更新する動作を、動作３と表記する場合がある。
【００４２】
また、さらに、実施例１における点検支援装置１００は、記憶部１０２の記憶内容が更新された場合に、設備における点検内容についての点検結果を入力する入力欄をディスプレイ２０６に表示し直す動作を実行してもよい。以下の説明では、記憶部１０２の記憶内容が更新された場合に、設備における点検内容についての点検結果を入力する入力欄をディスプレイ２０６に表示し直す動作を、動作４と表記する場合がある。
【００４３】
［動作１］
まず、動作１について説明する。動作１は、上述したように、設備における点検内容についての点検結果を入力する入力欄をディスプレイ２０６に表示する動作である。動作１は、読取部７０１と、特定部７０２と、制御部７０３と、によって実行される。
【００４４】
読取部７０１は、設備に付された設備の識別子を示すコード情報１１１を読み取る。設備とは、例えば、点検対象物である。設備の識別子とは、例えば、上述した設備ＩＤである。コード情報１１１とは、例えば、１次元コードや２次元コードのイメージである。読取部７０１は、例えば、リーダ２０８を用いて、設備に付された２次元コードのイメージを読み取る。
【００４５】
これにより、特定部７０２は、読取部７０１によって読み取られたコード情報１１１から設備の識別子を取得することができる。読取部７０１は、例えば、図２に示したＲＯＭ２０２、ＲＡＭ２０３、フラッシュＲＯＭ２０４などの記憶装置に記憶されたプログラムをＣＰＵ２０１に実行させることにより、または、リーダ２０８により、その機能を実現する。読み取られたデータは、例えば、ＲＡＭ２０３、フラッシュＲＯＭ２０４などの記憶領域に記憶される。
【００４６】
特定部７０２は、記憶部１０２の記憶内容を参照して、読取部７０１によって読み取られたコード情報１１１が示す設備の識別子に対応する点検内容を特定する。ここで、点検内容とは、例えば、点検名称、点検タイプ、および表示データの組み合わせが示す内容である。点検内容は、具体的には、「温度を計測した結果を数値入力する」という内容である。また、点検内容は、「設備の外観確認の結果を｛異常あり／異常なし｝の入力候補の中から選択入力する」という内容であってもよい。また、点検内容は、「点検状況を｛点検済／未点検｝の入力候補の中から選択入力する」という内容であってもよい。
【００４７】
また、点検内容は、「設備に備えられた電力量計を検針する」という内容であってもよい。また、点検内容は、「設備に備えられた水量計を検針する」という内容であってもよい。また、点検内容は、「設備に備えられたガスメーターを検針する」という内容であってもよい。
【００４８】
記憶部１０２とは、例えば、上述したＲＯＭ２０２、ＲＡＭ２０３、フラッシュＲＯＭ２０４である。記憶部１０２は、複数の設備の各々の設備の識別子と、各々の設備における点検内容と、を対応付けて記憶する。記憶部１０２は、さらに、各々の設備の識別子と対応付けて各々の設備の設備情報を記憶してもよい。設備情報とは、例えば、設備名称、設備の耐用年数、設備の使用年数、設備における点検内容の備考などである。記憶部１０２は、例えば、上述した設備情報テーブル３００と、設備点検項目テーブル４００と、点検項目テーブル５００と、点検種別テーブル６００と、を記憶する。
【００４９】
また、記憶部１０２は、例えば、外部装置が有してもよい。この場合、特定部７０２は、記憶部１０２を有する外部装置にアクセスすることにより、読取部７０１によって読み取られたコード情報１１１が示す設備の識別子に対応する点検内容を特定する。
【００５０】
特定部７０２は、例えば、設備点検項目テーブル４００と点検項目テーブル５００と点検種別テーブル６００とを参照して、読取部７０１によって読み取られたコード情報１１１が示すボイラー１号機１１０の識別子「Ｓ１」に対応する点検内容を特定する。これにより、特定部７０２は、例えば、点検内容として、点検名称「温度」、点検タイプ「数値入力」、表示データ「−（なし）」を特定する。
【００５１】
また、特定部７０２は、記憶部１０２の記憶内容を参照して、読取部７０１によって読み取られたコード情報１１１が示す設備の識別子に対応する設備情報を特定してもよい。特定部７０２は、例えば、設備情報テーブル３００を参照して、読取部７０１によって読み取られたコード情報１１１が示すボイラー１号機１１０の識別子「Ｓ１」に対応する設備名称「ボイラー１号機」を特定する。また、特定部７０２は、例えば、設備情報テーブル３００を参照して、読取部７０１によって読み取られたコード情報１１１が示すボイラー１号機１１０の識別子「Ｓ１」に対応する使用条件「温度範囲：２０度〜８０度」を特定してもよい。
【００５２】
これにより、制御部７０３は、特定部７０２によって特定された点検内容や設備情報を表示装置に表示させることができる。特定部７０２は、例えば、図２に示したＲＯＭ２０２、ＲＡＭ２０３、フラッシュＲＯＭ２０４などの記憶装置に記憶されたプログラムをＣＰＵ２０１に実行させることにより、または、Ｉ／Ｆ２０５により、その機能を実現する。特定されたデータは、例えば、ＲＡＭ２０３、フラッシュＲＯＭ２０４などの記憶領域に記憶される。
【００５３】
制御部７０３は、特定部７０２によって特定された点検内容に対応付けて、当該点検内容の点検結果を入力する入力欄を表示画面に表示させる。ここで、表示画面とは、例えば、上述したディスプレイ２０６である。制御部７０３は、例えば、点検名称「温度」の点検内容についての点検結果を入力する入力欄を、ディスプレイ２０６に表示させる。
【００５４】
また、制御部７０３は、特定部７０２によって特定された点検内容に対応付けて、当該点検内容の点検結果を入力する入力欄を表示画面に表示させるとともに、特定部７０２によって特定された設備情報を表示画面に表示させてもよい。制御部７０３は、例えば、点検名称「温度」の点検内容についての点検結果を入力する入力欄をディスプレイ２０６に表示させるとともに、設備名称「ボイラー１号機」をディスプレイ２０６に表示させる。また、制御部７０３は、設備の使用条件「温度範囲：２０度〜８０度」をディスプレイ２０６に表示させる。
【００５５】
これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【００５６】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【００５７】
また、点検支援装置１００の利用者は、設備を点検する際に、ディスプレイ２０６に表示された設備情報を参照して、点検結果を入力することができる。制御部７０３は、例えば、図２に示したＲＯＭ２０２、ＲＡＭ２０３、フラッシュＲＯＭ２０４などの記憶装置に記憶されたプログラムをＣＰＵ２０１に実行させることにより、その機能を実現する。
【００５８】
［動作２］
次に、動作２について説明する。動作２は、上述したように、設備における点検内容についての点検結果を入力する入力欄に対して入力された点検結果を出力する動作である。動作２は、受付部７０４と、出力部７０５と、によって実行される。
【００５９】
受付部７０４は、制御部７０３の制御に従って表示画面に表示された点検内容の点検結果を入力する入力欄に対する点検結果の入力を受け付ける。受付部７０４は、例えば、ディスプレイ２０６に表示された点検名称「温度」の点検内容についての点検結果を入力する入力欄に対する「６０度」の入力を受け付ける。
【００６０】
これにより、出力部７０５は、点検結果を出力することができる。受け付けられたデータは、例えば、ＲＡＭ２０３、フラッシュＲＯＭ２０４などの記憶領域に記憶される。受付部７０４は、例えば、図２に示したＲＯＭ２０２、ＲＡＭ２０３、フラッシュＲＯＭ２０４などの記憶装置に記憶されたプログラムをＣＰＵ２０１に実行させることにより、または、キーボード２０７により、その機能を実現する。
【００６１】
出力部７０５は、設備の識別子と、設備における点検内容と、受付部７０４によって入力が受け付けられた当該点検内容の点検結果と、を対応付けて出力する。出力部７０５は、例えば、ボイラー１号機１１０の識別子「Ｓ１」と、点検名称「温度」の点検内容と、点検内容についての点検結果「６０度」と、を対応付けて出力する。出力部７０５は、ボイラー１号機１１０の識別子「Ｓ１」と、点検名称「温度」の点検項目ＩＤ「Ｔ１」と、点検内容についての点検結果「６０度」と、を対応付けて出力してもよい。
【００６２】
出力形式としては、例えば、Ｉ／Ｆ２０５による外部装置への送信がある。また、ＲＡＭ２０３、フラッシュＲＯＭ２０４などの記憶領域に記憶することとしてもよい。これにより、出力部７０５は、点検結果を記憶することができる。出力部７０５は、例えば、図２に示したＲＯＭ２０２、ＲＡＭ２０３、フラッシュＲＯＭ２０４などの記憶装置に記憶されたプログラムをＣＰＵ２０１に実行させることにより、その機能を実現する。
【００６３】
［動作３］
次に、動作３について説明する。動作３は、上述したように、記憶部１０２の記憶内容を更新する動作である。動作３は、制御部７０３と、受付部７０４と、更新部７０６と、によって実行される。
【００６４】
制御部７０３は、設備における点検内容を入力する入力欄を表示画面に表示させてもよい。制御部７０３は、例えば、ボイラー１号機１１０における点検内容を入力する入力欄をディスプレイ２０６に表示させる。これにより、受付部７０４は、点検内容を入力する入力欄に対する入力を受け付けることができる。
【００６５】
受付部７０４は、制御部７０３の制御に従って表示画面に表示された設備における点検内容を入力する入力欄に対する点検内容の入力を受け付ける。受付部７０４は、例えば、点検内容として、点検名称「使用年数」と点検タイプ「数値入力」と表示データ「−（なし）」との入力を受け付ける。
【００６６】
更新部７０６は、受付部７０４によって入力が受け付けられた点検内容に基づいて、記憶部１０２の記憶内容を更新する。更新部７０６は、例えば、受付部７０４によって受け付けられた点検内容に対応する点検項目ＩＤ「Ｔ６」を作成し、設備ＩＤ「Ｓ１」と対応付けて、設備点検項目テーブル４００にレコードとして追加する。
【００６７】
また、更新部７０６は、受付部７０４によって受け付けられた点検内容に対応する点検種別ＩＤ「７」を作成し、点検名称「使用年数」と点検項目ＩＤ「Ｔ６」と対応付けて、点検項目テーブル５００にレコードとして追加する。また、更新部７０６は、受付部７０４によって受け付けられた点検名称「使用年数」と点検タイプ「数値入力」と表示データ「−」とを、点検種別ＩＤ「７」と対応付けて、点検種別テーブル６００にレコードとして追加する。
【００６８】
これにより、点検支援装置１００の利用者は、設備における点検内容を追加し、変更し、または削除することができる。更新部７０６は、例えば、図２に示したＲＯＭ２０２、ＲＡＭ２０３、フラッシュＲＯＭ２０４などの記憶装置に記憶されたプログラムをＣＰＵ２０１に実行させることにより、または、Ｉ／Ｆ２０５により、その機能を実現する。
【００６９】
［動作４］
次に、動作４について説明する。動作４は、上述したように、記憶部１０２の記憶内容が更新された場合に、設備における点検内容についての点検結果を入力する入力欄をディスプレイ２０６に表示し直す動作である。動作４は、特定部７０２と、制御部７０３と、によって実行される。
【００７０】
特定部７０２は、更新部７０６によって更新された記憶部１０２の記憶内容を参照して、読取部７０１によって読み取られたコード情報１１１が示す設備の識別子に対応する点検内容を特定する。特定部７０２は、例えば、動作１の場合と同様にして、設備ＩＤに対応する点検内容を特定する。
【００７１】
また、特定部７０２は、更新部７０６によって更新された記憶部１０２の記憶内容を参照して、読取部７０１によって読み取られたコード情報１１１が示す設備の識別子に対応する設備情報を特定してもよい。特定部７０２は、例えば、動作１の場合と同様にして、設備ＩＤに対応する設備名称を特定する。これにより、特定部７０２は、更新後の点検内容を特定することができる。
【００７２】
制御部７０３は、動作１の場合と同様にして、特定部７０２によって特定された点検内容をディスプレイ２０６に表示する。また、制御部７０３は、動作１の場合と同様にして、特定部７０２によって特定された設備情報をディスプレイ２０６に表示する。これにより、点検支援装置１００は、更新部７０６によって更新された点検内容を、更新された直後にディスプレイ２０６に表示することができる。そのため、点検支援装置１００の利用者は、更新された点検内容についての点検結果も漏れなく入力することができる。
【００７３】
（実施例１における点検支援装置１００による点検支援の具体例）
次に、図８および図９を用いて、実施例１における点検支援装置１００による点検支援の具体例について説明する。図８および図９に示す点検支援装置１００の動作は、上述した動作１に対応する。
【００７４】
図８および図９は、実施例１における点検支援装置１００による点検支援の具体例を示す説明図である。図８において、点検支援装置１００は、リーダ２０８を用いて、ボイラー１号機１１０に付された２次元コードのイメージを読み取る。次に、点検支援装置１００は、読み取った２次元コードのイメージから、ボイラー１号機１１０の設備ＩＤ「Ｓ１」を取得する。
【００７５】
そして、点検支援装置１００は、取得した設備ＩＤ「Ｓ１」をキーにして、設備情報テーブル３００の中から、設備ＩＤ「Ｓ１」に対応する設備名称「ボイラー１号機」を取得する。ここで、点検支援装置１００は、取得した設備名称「ボイラー１号機」を、ディスプレイ２０６に表示するデータとしてＲＡＭ２０３に記憶しておく。
【００７６】
また、点検支援装置１００は、取得した設備ＩＤ「Ｓ１」をキーにして、設備点検項目テーブル４００の中から、設備ＩＤ「Ｓ１」に対応する点検項目ＩＤ「Ｔ１，Ｔ２，Ｔ３，Ｔ４」を取得する。次に、点検支援装置１００は、取得した点検項目ＩＤ「Ｔ１」をキーにして、点検項目テーブル５００の中から、点検項目ＩＤ「Ｔ１」に対応する点検名称「温度」および点検種別ＩＤ「１」を取得する。
【００７７】
そして、点検支援装置１００は、取得した点検種別ＩＤ「１」をキーにして、点検種別テーブル６００の中から、点検種別ＩＤ「１」に対応する点検タイプ「数値入力」および表示データ「−（なし）」を取得する。ここで、点検支援装置１００は、取得した点検名称「温度」、点検タイプ「数値入力」、および表示データ「−（なし）」を、対応付けて、ディスプレイ２０６に表示するデータとしてＲＡＭ２０３に記憶しておく。
【００７８】
次に、点検支援装置１００は、取得した点検項目ＩＤ「Ｔ２」をキーにして、点検項目テーブル５００の中から、点検項目ＩＤ「Ｔ２」に対応する点検名称「外観確認」および点検種別ＩＤ「４」を取得する。そして、点検支援装置１００は、取得した点検種別ＩＤ「４」をキーにして、点検種別テーブル６００の中から、点検種別ＩＤ「４」に対応する点検タイプ「選択入力」および表示データ「異常あり／異常なし」を取得する。ここで、点検支援装置１００は、取得した点検名称「外観確認」、点検タイプ「選択入力」、および表示データ「異常あり／異常なし」を、対応付けて、ディスプレイ２０６に表示するデータとしてＲＡＭ２０３に記憶しておく。
【００７９】
次に、点検支援装置１００は、取得した点検項目ＩＤ「Ｔ３」をキーにして、点検項目テーブル５００の中から、点検項目ＩＤ「Ｔ３」に対応する点検名称「点検状況」および点検種別ＩＤ「５」を取得する。そして、点検支援装置１００は、取得した点検種別ＩＤ「５」をキーにして、点検種別テーブル６００の中から、点検種別ＩＤ「５」に対応する点検タイプ「選択入力」および表示データ「点検済／未点検」を取得する。ここで、点検支援装置１００は、取得した点検名称「点検状況」、点検タイプ「選択入力」、および表示データ「点検済／未点検」を、対応付けて、ディスプレイ２０６に表示するデータとしてＲＡＭ２０３に記憶しておく。
【００８０】
次に、点検支援装置１００は、取得した点検項目ＩＤ「Ｔ４」をキーにして、点検項目テーブル５００の中から、点検項目ＩＤ「Ｔ４」に対応する点検名称「点検結果」および点検種別ＩＤ「２」を取得する。そして、点検支援装置１００は、取得した点検種別ＩＤ「２」をキーにして、点検種別テーブル６００の中から、点検種別ＩＤ「２」に対応する点検タイプ「選択入力」および表示データ「あり／なし」を取得する。ここで、点検支援装置１００は、取得した点検名称「点検結果」、点検タイプ「選択入力」、および表示データ「あり／なし」を、対応付けて、ディスプレイ２０６に表示するデータとしてＲＡＭ２０３に記憶しておく。次に、図９の説明に移行する。
【００８１】
図９において、点検支援装置１００は、図８においてＲＡＭ２０３に記憶した設備名称「ボイラー１号機」を、ディスプレイ２０６の表示領域９０１に表示する。また、点検支援装置１００は、図８においてＲＡＭ２０３に記憶した点検名称「温度」をディスプレイ２０６の表示領域９０２に表示する。次に、点検支援装置１００は、点検名称「温度」に対応する点検タイプ「数値入力」および表示データ「−（なし）」を参照して、点検名称「温度」の点検結果を入力する入力欄が「任意の数値を入力する数値入力欄」であると判定する。そして、点検支援装置１００は、点検名称「温度」に対応付けた「任意の数値を入力する数値入力欄」を、ディスプレイ２０６の表示領域９０３に表示する。
【００８２】
また、点検支援装置１００は、図８においてＲＡＭ２０３に記憶した点検名称「外観確認」をディスプレイ２０６の表示領域９０４に表示する。次に、点検支援装置１００は、点検名称「外観確認」に対応する点検タイプ「選択入力」および表示データ「異常あり／異常なし」を参照する。そして、点検支援装置１００は、点検名称「外観確認」の点検結果を入力する入力欄が「｛異常あり／異常なし｝の入力候補の中から選択して入力する選択入力欄」であると判定する。次に、点検支援装置１００は、点検名称「外観確認」に対応付けた「｛異常あり／異常なし｝の入力候補の中から選択して入力する選択入力欄」を、ディスプレイ２０６の表示領域９０５に表示する。
【００８３】
図９の例では、例えば、表示領域９０５の選択入力欄は、「▼」が選択されると｛異常あり／異常なし｝の入力候補がプルダウンの形式で表示され、表示された入力候補の中から選択された入力候補を入力として受け付ける。選択入力欄は、例えば、入力候補をラジオボタンやチェックボックスの形式で表示してもよい。
【００８４】
また、点検支援装置１００は、図８においてＲＡＭ２０３に記憶した点検名称「点検状況」をディスプレイ２０６の表示領域９０６に表示する。次に、点検支援装置１００は、点検名称「点検状況」に対応する点検タイプ「選択入力」および表示データ「点検済／未点検」を参照する。そして、点検支援装置１００は、点検名称「点検状況」の点検結果を入力する入力欄が「｛点検済／未点検｝の入力候補の中から選択して入力する選択入力欄」であると判定する。次に、点検支援装置１００は、点検名称「点検状況」に対応付けた「｛点検済／未点検｝の入力候補の中から選択して入力する選択入力欄」を、ディスプレイ２０６の表示領域９０７に表示する。
【００８５】
また、点検支援装置１００は、図８においてＲＡＭ２０３に記憶した点検名称「点検結果」をディスプレイ２０６の表示領域９０８に表示する。次に、点検支援装置１００は、点検名称「点検結果」に対応する点検タイプ「選択入力」および表示データ「あり／なし」を参照する。そして、点検支援装置１００は、点検名称「点検結果」の点検結果を入力する入力欄が「｛あり／なし｝の入力候補の中から選択して入力する選択入力欄」であると判定する。そして、点検支援装置１００は、点検名称「点検結果」に対応付けた「｛あり／なし｝の入力候補の中から選択して入力する選択入力欄」を、ディスプレイ２０６の表示領域９０９に表示する。
【００８６】
これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【００８７】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【００８８】
（実施例１における点検支援処理手順）
次に、図１０を用いて、実施例１における点検支援装置１００の点検支援処理手順の一例について説明する。点検支援処理は、上述した動作１および動作２に対応する処理である。また、点検支援処理は、上述した動作４に対応する処理でもある。
【００８９】
図１０は、実施例１における点検支援装置１００の点検支援処理手順の一例を示すフローチャートである。図１０に示すように、点検支援装置１００は、点検支援装置１００の利用者から、読取指示を受け付けたか否かを判定する（ステップＳ１００１）。ここで、読取指示を受け付けていない場合（ステップＳ１００１：Ｎｏ）、点検支援装置１００は、ステップＳ１００１に戻る。
【００９０】
一方、読取指示を受け付けた場合（ステップＳ１００１：Ｙｅｓ）、点検支援装置１００は、リーダ２０８を用いて２次元コードを読み取り、読み取った２次元コードから設備ＩＤを取得する（ステップＳ１００２）。
【００９１】
次に、点検支援装置１００は、設備情報テーブル３００を参照して、取得した設備ＩＤに対応する設備名称を取得する（ステップＳ１００３）。そして、点検支援装置１００は、設備点検項目テーブル４００を参照して、取得した設備ＩＤに対応する点検項目ＩＤを取得する（ステップＳ１００４）。
【００９２】
次に、点検支援装置１００は、点検項目テーブル５００を参照して、取得した設備項目ＩＤに対応する点検名称と点検種別ＩＤとを取得する（ステップＳ１００５）。そして、点検支援装置１００は、点検種別テーブル６００を参照して、取得した点検種別ＩＤに対応する点検タイプと表示データとを取得する（ステップＳ１００６）。
【００９３】
次に、点検支援装置１００は、取得した設備名称と点検名称と点検タイプと表示データとを用いて、ディスプレイ２０６に点検結果の入力欄を表示する（ステップＳ１００７）。そして、点検支援装置１００は、点検結果の入力欄に対する点検結果の入力を受け付けたか否かを判定する（ステップＳ１００８）。ここで、入力を受け付けていない場合（ステップＳ１００８：Ｎｏ）、点検支援装置１００は、ステップＳ１００８に戻る。
【００９４】
一方、入力を受け付けた場合（ステップＳ１００８：Ｙｅｓ）、点検支援装置１００は、設備ＩＤと、点検項目ＩＤと、入力を受け付けた点検結果と、を対応付けて出力する（ステップＳ１００９）。そして、点検支援装置１００は、点検支援処理を終了する。
【００９５】
これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【００９６】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【００９７】
（記憶部更新処理手順）
次に、図１１を用いて、点検支援装置１００の記憶部更新処理手順の一例について説明する。記憶部更新処理は、上述した動作３に対応する処理である。
【００９８】
図１１は、点検支援装置１００の記憶部更新処理手順の一例を示すフローチャートである。図１１に示すように、点検支援装置１００は、記憶部１０２を更新する更新内容を含む記憶部更新指示を受け付けたか否かを判定する（ステップＳ１１０１）。ここで、記憶部更新指示を受け付けていない場合（ステップＳ１１０１：Ｎｏ）、点検支援装置１００は、ステップＳ１１０１に戻る。
【００９９】
一方、記憶部更新指示を受け付けた場合（ステップＳ１１０１：Ｙｅｓ）、点検支援装置１００は、記憶部更新指示に含まれる更新内容を参照して、設備点検項目テーブル４００と、点検項目テーブル５００と、点検種別テーブル６００と、を更新する（ステップＳ１１０２）。これにより、点検支援装置１００の利用者は、設備における点検内容を追加し、変更し、または削除することができる。
【０１００】
＜実施例２＞
次に、上述した実施例２について説明する。実施例２では、設備の識別子と設備における点検内容の識別子とを示すコード情報１１１が設備に付される。実施例２において、点検支援装置１００は、図３に示す設備情報テーブル３００と、図１２に示す点検情報テーブル１２００と、を有する。
【０１０１】
（点検情報テーブル１２００の記憶内容）
次に、図１２を用いて、点検情報テーブル１２００の記憶内容の一例について説明する。点検情報テーブル１２００は、例えば、上述したＲＯＭ２０２、ＲＡＭ２０３、フラッシュＲＯＭ２０４などにより実現される。
【０１０２】
図１２は、点検情報テーブル１２００の記憶内容の一例を示す説明図である。図１２に示すように、点検情報テーブル１２００は、点検種別ＩＤ項目に対応付けて、点検タイプ項目と、点検名称項目と、表示データ項目とを有し、点検種別ＩＤごとに各項目に情報が設定されることによりレコードを記憶する。
【０１０３】
点検種別ＩＤ項目には、点検項目の種別の識別子が記憶される。点検タイプ項目には、点検種別ＩＤ項目の点検種別ＩＤによって識別される点検種別のタイプが記憶される。点検名称項目には、点検種別ＩＤ項目の点検種別ＩＤによって識別される点検項目の名称が記憶される。表示データ項目には、点検種別ＩＤ項目の点検種別ＩＤによって識別される点検種別に対する入力候補として表示するデータが記憶される。例えば、レコード１２０１には、点検種別ＩＤ「１」と、点検タイプ「数値入力」と、点検名称「温度」と、表示データ「−（なし）」と、が対応付けて記憶されている。
【０１０４】
（実施例２における点検支援装置１００の機能的構成例）
次に、実施例２における点検支援装置１００の機能的構成例について説明する。実施例２における点検支援装置１００の機能的構成例は、図７に示した実施例１における点検支援装置１００の機能的構成例と更新部７０６を除き同様である。実施例２において、更新部７０６はなくてもよい。
【０１０５】
ここで、実施例２における点検支援装置１００は、例えば、設備における点検内容についての点検結果を入力する入力欄をディスプレイ２０６に表示する動作を実行する。以下の説明では、設備における点検内容についての点検結果を入力する入力欄をディスプレイ２０６に表示する動作を、動作５と表記する場合がある。
【０１０６】
さらに、実施例１における点検支援装置１００は、当該入力欄に入力された点検結果を出力する動作を実行してもよい。以下の説明では、当該入力欄に入力された点検結果を出力する動作を、動作６と表記する場合がある。
【０１０７】
［動作５］
まず、動作５について説明する。動作５は、上述したように、設備における点検内容についての点検結果を入力する入力欄をディスプレイ２０６に表示する動作である。動作５は、読取部７０１と、特定部７０２と、制御部７０３と、によって実行される。
【０１０８】
読取部７０１は、設備に付された点検内容の識別子を示すコード情報１１１を読み取る。ここで、点検内容の識別子とは、例えば、点検種別ＩＤである。読取部７０１は、設備に付され、設備の識別子と、設備における点検内容の識別子と、を示すコード情報１１１を読み取ってもよい。読取部７０１は、例えば、リーダ２０８を用いて、設備に付された２次元コードのイメージを読み取る。これにより、特定部７０２は、読取部７０１によって読み取られたコード情報１１１から点検内容の識別子を取得することができる。また、特定部７０２は、読取部７０１によって読み取られたコード情報１１１から設備の識別子を取得することができる。
【０１０９】
特定部７０２は、記憶部１０２の記憶内容を参照して、読取部７０１によって読み取られたコード情報１１１が示す点検内容の識別子に対応する点検内容を特定する。記憶部１０２は、複数の点検内容の各々の点検内容の識別子と、各々の点検内容と、を対応付けて記憶する。記憶部１０２は、さらに、複数の設備の各々の設備の識別子と、各々の設備の設備情報と、を対応付けて記憶してもよい。
【０１１０】
特定部７０２は、例えば、点検情報テーブル１２００を参照して、読取部７０１によって読み取られたコード情報１１１が示す点検内容の識別子「１，３，４」に対応する点検内容を特定する。これにより、特定部７０２は、例えば、点検内容の識別子「１」に対応する点検内容として、点検名称「温度」、点検タイプ「数値入力」、表示データ「−（なし）」を特定する。
【０１１１】
また、特定部７０２は、さらに、記憶部１０２の記憶内容を参照して、読取部７０１によって読み取られたコード情報１１１が示す設備の識別子に対応する設備情報を特定してもよい。特定部７０２は、例えば、設備情報テーブル３００を参照して、読取部７０１によって読み取られたコード情報１１１が示すボイラー１号機１１０の識別子「Ｓ１」に対応する設備名称「ボイラー１号機」を特定する。これにより、制御部７０３は、特定部７０２によって特定された点検内容や設備情報を表示装置に表示させることができる。
【０１１２】
制御部７０３は、特定部７０２によって特定された点検内容に対応付けて、当該点検内容の点検結果を入力する入力欄を表示画面に表示させる。制御部７０３は、例えば、点検名称「温度」の点検内容についての点検結果を入力する入力欄を、ディスプレイ２０６に表示させる。
【０１１３】
また、制御部７０３は、特定部７０２によって特定された点検内容に対応付けて、当該点検内容の点検結果を入力する入力欄を表示画面に表示させるとともに、特定部７０２によって特定された設備情報を表示画面に表示させてもよい。制御部７０３は、例えば、点検名称「温度」の点検内容についての点検結果を入力する入力欄をディスプレイ２０６に表示させるとともに、設備名称「ボイラー１号機」をディスプレイ２０６に表示させる。
【０１１４】
これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【０１１５】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。また、点検支援装置１００の利用者は、設備を点検する際に、ディスプレイ２０６に表示された設備情報を参照して、点検結果を入力することができる。
【０１１６】
［動作６］
次に、動作６について説明する。動作６は、上述したように、設備における点検内容についての点検結果を入力する入力欄に対して入力された点検結果を出力する動作である。動作６は、受付部７０４と、出力部７０５と、によって実行される。
【０１１７】
受付部７０４は、制御部７０３の制御に従って表示画面に表示された点検内容の点検結果を入力する入力欄に対する点検結果の入力を受け付ける。受付部７０４は、例えば、ディスプレイ２０６に表示された点検名称「温度」の点検内容についての点検結果を入力する入力欄に対する「６０度」の入力を受け付ける。これにより、出力部７０５は、点検結果を出力することができる。
【０１１８】
出力部７０５は、設備の識別子と、設備における点検内容と、受付部７０４によって入力が受け付けられた当該点検内容の点検結果と、を対応付けて出力する。出力部７０５は、例えば、ボイラー１号機１１０の識別子「Ｓ１」と、点検名称「温度」の点検内容と、点検内容についての点検結果「６０度」と、を対応付けて出力する。出力部７０５は、ボイラー１号機１１０の識別子「Ｓ１」と、点検名称「温度」の点検項目ＩＤ「Ｔ１」と、点検内容についての点検結果「６０度」と、を対応付けて出力してもよい。
【０１１９】
出力形式としては、例えば、Ｉ／Ｆ２０５による外部装置への送信がある。また、ＲＡＭ２０３、フラッシュＲＯＭ２０４などの記憶領域に記憶することとしてもよい。これにより、出力部７０５は、点検結果を記憶することができる。
【０１２０】
（実施例２における点検支援装置１００による点検支援の具体例）
次に、図１３および図１４を用いて、実施例２における点検支援装置１００による点検支援の具体例について説明する。図１３および図１４に示す点検支援装置１００の動作は、上述した動作５に対応する。
【０１２１】
図１３および図１４は、実施例２における点検支援装置１００による点検支援の具体例を示す説明図である。図１３において、点検支援装置１００は、リーダ２０８を用いて、ボイラー１号機１１０に付された２次元コードのイメージを読み取る。次に、点検支援装置１００は、読み取った２次元コードのイメージから、ボイラー１号機１１０の設備ＩＤ「Ｓ１」と、点検種別ＩＤ「１，３，４」を取得する。
【０１２２】
そして、点検支援装置１００は、取得した設備ＩＤ「Ｓ１」をキーにして、設備情報テーブル３００の中から、設備ＩＤ「Ｓ１」に対応する設備名称「ボイラー１号機」を取得する。ここで、点検支援装置１００は、取得した設備名称「ボイラー１号機」を、ディスプレイ２０６に表示するデータとしてＲＡＭ２０３に記憶しておく。
【０１２３】
次に、点検支援装置１００は、取得した点検種別ＩＤ「１」をキーにして、点検情報テーブル１２００の中から、点検種別ＩＤ「１」に対応する点検名称「温度」、点検タイプ「数値入力」、および表示データ「−（なし）」を取得する。ここで、点検支援装置１００は、取得した点検名称「温度」、点検タイプ「数値入力」、および表示データ「−（なし）」を、対応付けて、ディスプレイ２０６に表示するデータとしてＲＡＭ２０３に記憶しておく。
【０１２４】
次に、点検支援装置１００は、取得した点検種別ＩＤ「３」をキーにして、点検情報テーブル１２００の中から、点検種別ＩＤ「３」に対応する点検名称「点検状況」、点検タイプ「選択入力」、および表示データ「点検済／未点検」を取得する。ここで、点検支援装置１００は、取得した点検名称「点検状況」、点検タイプ「選択入力」、および表示データ「点検済／未点検」を、対応付けて、ディスプレイ２０６に表示するデータとしてＲＡＭ２０３に記憶しておく。
【０１２５】
次に、点検支援装置１００は、取得した点検種別ＩＤ「４」をキーにして、点検情報テーブル１２００の中から、点検種別ＩＤ「４」に対応する点検名称「点検結果」、点検タイプ「選択入力」、および表示データ「あり／なし」を取得する。ここで、点検支援装置１００は、取得した点検名称「点検結果」、点検タイプ「選択入力」、および表示データ「あり／なし」を、対応付けて、ディスプレイ２０６に表示するデータとしてＲＡＭ２０３に記憶しておく。次に、図１４の説明に移行する。
【０１２６】
図１４において、点検支援装置１００は、図１３においてＲＡＭ２０３に記憶した設備名称「ボイラー１号機」を、ディスプレイ２０６の表示領域１４０１に表示する。また、点検支援装置１００は、図１３においてＲＡＭ２０３に記憶した点検名称「温度」を、ディスプレイ２０６の表示領域１４０２に表示する。次に、点検支援装置１００は、点検名称「温度」に対応する点検タイプ「数値入力」および表示データ「−（なし）」を参照して、点検名称「温度」の点検結果を入力する入力欄が「任意の数値を入力する数値入力欄」であると判定する。そして、点検支援装置１００は、点検名称「温度」に対応付けた「任意の数値を入力する数値入力欄」を、ディスプレイ２０６の表示領域１４０３に表示する。
【０１２７】
また、点検支援装置１００は、図１３においてＲＡＭ２０３に記憶した点検名称「点検状況」をディスプレイ２０６の表示領域１４０４に表示する。次に、点検支援装置１００は、点検名称「点検状況」に対応する点検タイプ「選択入力」および表示データ「点検済／未点検」を参照する。そして、点検支援装置１００は、点検名称「点検状況」の点検結果を入力する入力欄が「｛点検済／未点検｝の入力候補の中から選択して入力する選択入力欄」であると判定する。次に、点検支援装置１００は、点検名称「点検状況」に対応付けた「｛点検済／未点検｝の入力候補の中から選択して入力する選択入力欄」を、ディスプレイ２０６の表示領域１４０５に表示する。
【０１２８】
また、点検支援装置１００は、図１３においてＲＡＭ２０３に記憶した点検名称「点検結果」をディスプレイ２０６の表示領域１４０６に表示する。次に、点検支援装置１００は、点検名称「点検結果」に対応する点検タイプ「選択入力」および表示データ「あり／なし」を参照する。そして、点検支援装置１００は、点検名称「点検結果」の点検結果を入力する入力欄が「｛あり／なし｝の入力候補の中から選択して入力する選択入力欄」であると判定する。次に、点検支援装置１００は、点検名称「点検結果」に対応付けた「｛あり／なし｝の入力候補の中から選択して入力する選択入力欄」を、ディスプレイ２０６の表示領域１４０７に表示する。
【０１２９】
これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【０１３０】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【０１３１】
（実施例２における点検支援処理手順）
次に、図１５を用いて、実施例２における点検支援装置１００の点検支援処理手順の一例について説明する。図１５に示す点検支援処理は、動作５および動作６に対応する処理である。
【０１３２】
図１５は、実施例２における点検支援装置１００の点検支援処理手順の一例を示すフローチャートである。図１５に示すように、点検支援装置１００は、点検支援装置１００の利用者から、読取指示を受け付けたか否かを判定する（ステップＳ１５０１）。ここで、読取指示を受け付けていない場合（ステップＳ１５０１：Ｎｏ）、点検支援装置１００は、ステップＳ１５０１に戻る。
【０１３３】
一方、読取指示を受け付けた場合（ステップＳ１５０１：Ｙｅｓ）、点検支援装置１００は、リーダ２０８を用いて２次元コードを読み取り、読み取った２次元コードから設備ＩＤと点検種別ＩＤとを取得する（ステップＳ１５０２）。
【０１３４】
次に、点検支援装置１００は、設備情報テーブル３００を参照して、取得した設備ＩＤに対応する設備名称を取得する（ステップＳ１５０３）。そして、点検支援装置１００は、点検情報テーブル１２００を参照して、取得した点検種別ＩＤに対応する点検名称と点検タイプと表示データとを取得する（ステップＳ１５０４）。
【０１３５】
次に、点検支援装置１００は、取得した設備名称と点検名称と点検タイプと表示データとを用いて、ディスプレイ２０６に点検結果の入力欄を表示する（ステップＳ１５０５）。そして、点検支援装置１００は、点検結果の入力欄に対する点検結果の入力を受け付けたか否かを判定する（ステップＳ１５０６）。ここで、入力を受け付けていない場合（ステップＳ１５０６：Ｎｏ）、点検支援装置１００は、ステップＳ１５０６に戻る。
【０１３６】
一方、入力を受け付けた場合（ステップＳ１５０６：Ｙｅｓ）、点検支援装置１００は、設備ＩＤと、点検項目ＩＤと、入力を受け付けた点検結果と、を対応付けて出力する（ステップＳ１５０７）。そして、点検支援装置１００は、点検支援処理を終了する。
【０１３７】
これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【０１３８】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【０１３９】
以上説明したように、点検支援装置１００によれば、設備に付されたコード情報１１１から設備の識別子を取得して、各種テーブル４００〜６００を参照して設備の識別子に対応する点検内容を特定して表示することができる。これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【０１４０】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【０１４１】
また、点検支援装置１００によれば、設備の識別子に対応する設備情報を表示することができる。これにより、点検支援装置１００の利用者は、設備名称や設備の耐用年数や設備における点検内容の備考などといった設備情報を参照しつつ、設備の点検結果を入力することができる。このように、点検支援装置１００は、点検支援装置１００の利用者による設備の点検作業を支援することができる。
【０１４２】
また、点検支援装置１００によれば、設備における点検内容の点検結果の入力欄に入力された点検結果を、設備の識別子と点検内容の識別子と対応付けて出力することができる。これにより、点検支援装置１００は、設備の識別子と点検内容の識別子と対応付けて、当該点検内容についての点検結果をＲＯＭ２０２、ＲＡＭ２０３、フラッシュＲＯＭ２０４などの記憶領域に保存することができる。そのため、点検支援装置１００の利用者は、点検結果を保存する作業を削減することができる。
【０１４３】
また、点検支援装置１００によれば、設備における点検内容を更新する更新内容を入力する入力欄に入力された更新内容を参照して、設備における点検内容を更新することができる。これにより、点検支援装置１００の利用者は、設備を点検する時に、設備における点検内容を追加し、変更し、または削除することができる。
【０１４４】
また、点検支援装置１００によれば、点検内容が更新された場合に、更新後の点検内容の点検結果の入力欄を表示することができる。これにより、点検支援装置１００は、更新部７０６によって更新された点検内容を、更新された直後にディスプレイ２０６に表示することができる。そのため、点検支援装置１００の利用者は、更新された点検内容についての点検結果も漏れなく入力することができる。
【０１４５】
また、点検支援装置１００によれば、設備に付されたコード情報１１１から点検内容の識別子を取得して、点検内容の識別子が示す点検内容を特定して表示することができる。これにより、点検支援装置１００の利用者は、ディスプレイ２０６に表示された点検内容に基づいて設備において点検すべき点検内容を把握することができ、設備における点検内容を示したマニュアルを参照しなくてもよい。また、点検支援装置１００の利用者は、点検項目ごとの点検結果を点検結果ごとにディスプレイ２０６に表示された入力欄に入力することができ、点検項目ごとの点検結果を書面に書き込まなくてもよいし、手作業で点検結果の入力欄を作成しなくてもよい。そのため、点検支援装置１００の利用者は、点検作業の作業量を低減することができる。
【０１４６】
また、点検支援装置１００の利用者は、ディスプレイ２０６に表示された点検対象の設備における点検内容の入力欄に基づいて、設備において点検すべき点検内容について漏らさず点検して点検結果を入力することができる。そのため、点検支援装置１００の利用者は、設備において点検すべき点検内容について点検し忘れることを防止することができる。このように、点検支援装置１００は、点検支援装置１００の利用者による設備の点検作業を支援することができる。
【０１４７】
また、点検支援装置１００によれば、設備に付されたコード情報１１１から設備の識別子を取得して、設備の識別子に対応する設備情報を特定して表示することができる。これにより、点検支援装置１００の利用者は、設備名称や設備の耐用年数や設備における点検内容の備考などといった設備情報を参照しつつ、設備の点検結果を入力することができる。このように、点検支援装置１００は、点検支援装置１００の利用者による設備の点検作業を支援することができる。
【０１４８】
また、点検支援装置１００によれば、設備における点検内容の点検結果の入力欄に入力された点検結果を、設備の識別子と点検内容の識別子と対応付けて出力することができる。これにより、点検支援装置１００は、設備の識別子と点検内容の識別子と対応付けて、当該点検内容についての点検結果をＲＯＭ２０２、ＲＡＭ２０３、フラッシュＲＯＭ２０４などの記憶領域に保存することができる。そのため、点検支援装置１００の利用者は、点検結果を保存する作業を削減することができる。
【０１４９】
なお、本実施の形態で説明した本点検支援方法は、予め用意されたプログラムをパーソナル・コンピュータやワークステーションなどのコンピュータで実行することにより実現することができる。本点検支援プログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また本点検支援プログラムは、インターネットなどのネットワークを介して配布してもよい。
【０１５０】
上述した実施の形態に関し、さらに以下の付記を開示する。
【０１５１】
（付記１）設備に付された前記設備の識別子を示すコード情報を読み取る読取部と、
複数の設備の各々の設備の識別子と、前記各々の設備における点検内容と、を対応付けて記憶する記憶部の記憶内容を参照して、前記読取部によって読み取られた前記コード情報が示す前記設備の識別子に対応する点検内容を特定する特定部と、
前記特定部によって特定された前記点検内容に対応付けて、当該点検内容の点検結果を入力する入力欄を表示画面に表示させる制御部と、
を有することを特徴とする点検支援装置。
【０１５２】
（付記２）前記記憶部は、
さらに、前記各々の設備の識別子と対応付けて前記各々の設備の設備情報を記憶しており、
前記特定部は、
前記記憶部の記憶内容を参照して、前記読取部によって読み取られた前記コード情報が示す設備の識別子に対応する点検内容および設備情報を特定し、
前記制御部は、
前記特定部によって特定された前記点検内容に対応付けて、当該点検内容の点検結果を入力する入力欄を前記表示画面に表示させるとともに、前記特定部によって特定された前記設備情報を前記表示画面に表示させる、
ことを特徴とする付記１に記載の点検支援装置。
【０１５３】
（付記３）前記制御部の制御に従って前記表示画面に表示された前記点検内容の点検結果を入力する入力欄に対する点検結果の入力を受け付ける受付部と、
前記設備の識別子と、前記設備における点検内容と、前記受付部によって入力が受け付けられた当該点検内容の点検結果と、を対応付けて出力する出力部と、
を有することを特徴とする付記１または２に記載の点検支援装置。
【０１５４】
（付記４）前記記憶部の記憶内容を更新する更新部を有し、
前記制御部は、
前記設備における点検内容を入力する入力欄を前記表示画面に表示させ、
前記受付部は、
前記制御部の制御に従って前記表示画面に表示された前記設備における点検内容を入力する入力欄に対する点検内容の入力を受け付け、
前記更新部は、
前記受付部によって入力が受け付けられた前記点検内容に基づいて、前記記憶部の記憶内容を更新する、
ことを特徴とする付記１〜３のいずれか一つに記載の点検支援装置。
【０１５５】
（付記５）前記特定部は、
前記更新部によって更新された前記記憶部の記憶内容を参照して、前記読取部によって読み取られた前記コード情報が示す前記設備の識別子に対応する点検内容を特定し、
前記制御部は、
前記特定部によって特定された前記点検内容に対応付けて、当該点検内容の点検結果を入力する入力欄を前記表示画面に表示させる、
ことを特徴とする付記４に記載の点検支援装置。
【０１５６】
（付記６）設備に付された点検内容の識別子を示すコード情報を読み取る読取部と、
複数の点検内容の各々の点検内容の識別子と、前記各々の点検内容と、を対応付けて記憶する記憶部の記憶内容を参照して、前記読取部によって読み取られた前記コード情報が示す前記点検内容の識別子に対応する点検内容を特定する特定部と、
前記特定部によって特定された前記点検内容に対応付けて、当該点検内容の点検結果を入力する入力欄を表示画面に表示させる制御部と、
を有することを特徴とする点検支援装置。
【０１５７】
（付記７）前記記憶部は、
さらに、複数の設備の各々の設備の識別子と、前記各々の設備の設備情報と、を対応付けて記憶しており、
前記読取部は、
前記設備に付され、前記設備の識別子と、前記設備における点検内容の識別子と、を示すコード情報を読み取り、
前記特定部は、
前記記憶部の記憶内容を参照して、前記読取部によって読み取られた前記コード情報が示す前記点検内容の識別子に対応する点検内容と、前記読取部によって読み取られたコード情報が示す前記設備の識別子に対応する設備情報と、を特定し、
前記制御部は、
前記特定部によって特定された前記点検内容に対応付けて、当該点検内容の点検結果を入力する入力欄を前記表示画面に表示させるとともに、前記特定部によって特定された前記設備情報を前記表示画面に表示させる、
ことを特徴とする付記６に記載の点検支援装置。
【０１５８】
（付記８）前記制御部の制御に従って前記表示画面に表示された前記点検内容の点検結果を入力する入力欄に対する点検結果の入力を受け付ける受付部と、
前記設備の識別子と、前記設備における点検内容と、前記受付部によって入力が受け付けられた当該点検内容の点検結果と、を対応付けて出力する出力部と、
を有することを特徴とする付記６または７に記載の点検支援装置。
【０１５９】
（付記９）コンピュータが、
設備に付された前記設備の識別子を示すコード情報を読み取り、
複数の設備の各々の設備の識別子と、前記各々の設備における点検内容と、を対応付けて記憶する記憶部の記憶内容を参照して、読み取った前記コード情報が示す前記設備の識別子に対応する点検内容を特定し、
特定した前記点検内容に対応付けて、当該点検内容の点検結果を入力する入力欄を表示画面に表示させる、
処理を実行することを特徴とする点検支援方法。
【０１６０】
（付記１０）コンピュータが、
設備に付された点検内容の識別子を示すコード情報を読み取り、
複数の点検内容の各々の点検内容の識別子と、前記各々の点検内容と、を対応付けて記憶する記憶部の記憶内容を参照して、読み取った前記コード情報が示す前記点検内容の識別子に対応する点検内容を特定し、
特定した前記点検内容に対応付けて、当該点検内容の点検結果を入力する入力欄を表示画面に表示させる、
処理を実行することを特徴とする点検支援方法。
【０１６１】
（付記１１）コンピュータに、
設備に付された前記設備の識別子を示すコード情報を読み取り、
複数の設備の各々の設備の識別子と、前記各々の設備における点検内容と、を対応付けて記憶する記憶部の記憶内容を参照して、読み取った前記コード情報が示す前記設備の識別子に対応する点検内容を特定し、
特定した前記点検内容に対応付けて、当該点検内容の点検結果を入力する入力欄を表示画面に表示させる、
処理を実行させることを特徴とする点検支援プログラム。
【０１６２】
（付記１２）コンピュータに、
設備に付された点検内容の識別子を示すコード情報を読み取り、
複数の点検内容の各々の点検内容の識別子と、前記各々の点検内容と、を対応付けて記憶する記憶部の記憶内容を参照して、読み取った前記コード情報が示す前記点検内容の識別子に対応する点検内容を特定し、
特定した前記点検内容に対応付けて、当該点検内容の点検結果を入力する入力欄を表示画面に表示させる、
処理を実行させることを特徴とする点検支援プログラム。
【符号の説明】
【０１６３】
１００  点検支援装置
１１１  コード情報
３００  設備情報テーブル
４００  設備点検項目テーブル
５００  点検項目テーブル
６００  点検種別テーブル
７０１  読取部
７０２  特定部
７０３  制御部
７０４  受付部
７０５  出力部
７０６  更新部
１２００  点検情報テーブル
【図１】
2014109903.tif 000003
【図２】
2014109903.tif 000004
【図３】
2014109903.tif 000005
【図４】
2014109903.tif 000006
【図５】
2014109903.tif 000007
【図６】
2014109903.tif 000008
【図７】
2014109903.tif 000009
【図８】
2014109903.tif 000010
【図９】
2014109903.tif 000011
【図１０】
2014109903.tif 000012
【図１１】
2014109903.tif 000013
【図１２】
2014109903.tif 000014
【図１３】
2014109903.tif 000015
【図１４】
2014109903.tif 000016
【図１５】
2014109903.tif 000017